(57)【要約】【課題】保管時のカテーテルシャフトの蛇行を抑制しカテーテルを好適に保持することが可能なカテーテル保持台紙を提供する。【解決手段】  長尺のシャフト５１を有するカテーテル５０を保持する保持面を有する長尺なシート材で構成されたカテーテル保持台紙１０は、カテーテル５０を保持するカテーテル保持部を備える。カテーテル保持部は、シート材の長手方向に沿って配置され、シャフト５１を保持面との間で挟持する複数のタブ２１を有する。複数のタブ２１には、シャフト５１が挟持された状態でシャフト５１に当接する位置にシャフト５１に沿うように第１切込み２３が形成されている。【選択図】図３
2014018209.tif 000002
【特許請求の範囲】
【請求項１】
長尺のシャフトを有するカテーテルを保持する保持面を有する長尺なシート材で構成されたカテーテル保持台紙であって、
前記カテーテルを保持するカテーテル保持部を備え、
前記カテーテル保持部は、前記シート材の長手方向に沿って配置され、前記シャフトを保持面との間で挟持する複数のタブを有し、
前記複数のタブには、前記シャフトが挟持された状態で前記シャフトに当接する位置に前記シャフトに沿うように第１切込みが形成されていることを特徴とするカテーテル保持台紙。
【請求項２】
前記複数のタブは前記シート材の一部が谷折り線で前記保持面から立ち上がるように折り曲げられて形成されたものであり、前記谷折り線の一部に第２切込みが形成されていることを特徴とする請求項１に記載のカテーテル保持台紙。
【請求項３】
前記第１切込みは前記谷折り線に平行になるように形成されていることを特徴とする請求項２に記載のカテーテル保持台紙。
【請求項４】
前記谷折り線の外側に谷折り線を延長した仮想延長線上に第３切込みが形成されていることを特徴とする請求項１〜３いずれかに記載のカテーテル保持台紙。
【請求項５】
前記シート材の長手方向に隣接する２つの前記タブは、互いに反対方向に向かって突出して一対をなし、当該一対のタブに形成された各第１切込みは、各々前記シャフトの円周方向の異なる位置に当接する位置に形成されていることを特徴とする請求項１〜４いずれかに記載のカテーテル用保持台紙。
【発明の詳細な説明】
【技術分野】
【０００１】
本発明は、カテーテル保持台紙に関する。
【背景技術】
【０００２】
従来、ガイディングカテーテルなどカテーテルの保管時の変形を抑制する目的でカテーテルのシャフトを所定形状で保持するカテーテル保持台紙が知られている（たとえば特許文献１参照）。
【０００３】
特許文献１には、カテーテル保持面を有する長尺なシート材と、シート材の一部をＬ字状またはへ字状に切り込み、折り曲げることによって形成されたタブとを有し、カテーテル保持面とタブとの間でカテーテルのシャフトを挟持するカテーテル保持台紙が開示されている。
【０００４】
特許文献１に記載の保持台紙は、カテーテルを保持台紙から取出す際のはずれ抵抗や引抜き抵抗の低減およびカテーテルの台紙へのセットを容易にする目的で、タブの両端部に切り込みを形成し、タブが曲り易くなるように構成されている。
【先行技術文献】
【特許文献】
【０００５】
【特許文献１】特開２００９−２０１８２６号公報
【発明の概要】
【発明が解決しようとする課題】
【０００６】
特許文献１のカテーテル保持台紙は、タブが折り曲げられることによって形成され、この折曲げが戻ろうとする復元力をシャフトを挟持する力（挟持力）として用いている。当該挟持力が強すぎるとカテーテルがタブから外れる方向に移動し、その反動でタブに挟持されていないカテーテルシャフトが当該外れる方向とは逆の方向に移動しカテーテルシャフト全体が蛇行するという問題があった。
【０００７】
本発明は、保管時のカテーテルシャフトの蛇行を抑制しカテーテルを好適に保持することが可能なカテーテル保持台紙を提供することを目的とする。
【課題を解決するための手段】
【０００８】
本発明は、長尺のシャフトを有するカテーテルを保持する保持面を有する長尺なシート材で構成されたカテーテル保持台紙であって、前記カテーテルを保持するカテーテル保持部を備え、前記カテーテル保持部は、前記シート材の長手方向に沿って配置され、前記シャフトを保持面との間で挟持する複数のタブを有し、前記複数のタブには、前記シャフトが挟持された状態で前記シャフトに当接する位置に前記シャフトに沿うように第１切込みが形成されていることを特徴とするカテーテル保持台紙である。
【０００９】
本発明によれば、カテーテルのシャフトを挟持するタブに、シャフトが挟持された状態で前記シャフトに当接する位置に前記シャフトに沿う第１切込みが形成されている。これによってタブと保持面との間でシャフトを挟持した場合、シャフトが第１切込みに沿い、シャフトの蛇行を抑制することができる。
【００１０】
また本発明は、前記複数のタブは前記シート材の一部が谷折り線で前記保持面から立ち上がるように折り曲げられて形成されたものであり、前記谷折り線の一部に第２切込みが形成されていることを特徴とするカテーテル保持台紙である。
【００１１】
本発明によれば、第２切込みによってタブの挟持力を小さくすることができる。これによって、シャフトがタブから外れる方向に移動することを抑制することができ、シャフトの蛇行を抑制することができる。
【００１２】
また本発明は、前記第１切込みは前記谷折り線に平行になるように形成されていることを特徴とするカテーテル保持台紙である。
【００１３】
本発明によれば、前記第１切込みと前記谷折り線とが平行となるため、シャフトと谷折り線とが平行となる。これによって、タブの挟持力がシャフトに均一にかかり、シャフトの蛇行を抑制することができる。
【００１４】
また本発明は、前記谷折り線の外側に谷折り線を延長した仮想延長線上に第３切込みが形成されていることを特徴とするカテーテル保持台紙である。
【００１５】
本発明によれば、第３切込みによってタブの挟持力を小さくすることができる。これによって、シャフトがタブから外れる方向に移動することを抑制することができ、シャフトの蛇行を抑制することができる。
【００１６】
また本発明は、前記シート材の長手方向に隣接する２つの前記タブは、互いに反対方向に向かって突出して一対をなし、当該一対のタブに形成された各第１切込みは、各々前記シャフトの円周方向の異なる位置に当接する位置に形成されていることを特徴とするカテーテル用保持台紙である。
【００１７】
本発明によれば、互いに反対方向に向かって突出して一対をなすタブに形成された各第１切込みが、各々シャフトの円周方向の異なる位置に当接する。これによって、タブがシャフトを安定して挟持することができる。
【図面の簡単な説明】
【００１８】
【図１】一実施形態における未使用状態のカテーテル保持台紙の平面図。
【図２】準備状態のカテーテル保持台紙の斜視図。
【図３】使用状態のカテーテル保持台紙の斜視図。
【図４】（ａ）未使用状態のタブの平面図、（ｂ）使用状態のタブの平面図。
【図５】未使用状態のコネクタ部保持部の平面図。
【図６】（ａ）準備状態のコネクタ部保持部の斜視図、（ｂ）使用状態のコネクタ部保持部の斜視図。
【発明を実施するための形態】
【００１９】
以下、本発明を適用したカテーテル保持台紙の一実施形態を図面に基づいて説明する。図１は一実施形態における未使用状態のカテーテル保持台紙の平面図である。図２は準備状態のカテーテル保持台紙の斜視図である。図３は使用状態のカテーテル保持台紙の斜視図である。
【００２０】
カテーテル保持台紙１０（以下、台紙１０という）について説明する前に、まずは、カテーテル５０について説明する。
【００２１】
図３に示すように、カテーテル５０は、樹脂材料で構成された可撓性を有する長尺のシャフト５１と、シャフト５１の基端部に設けられたコネクタ部５２とを備える。シャフト５１は、長尺なチューブ（中空管）で構成され、円管状をなしている。シャフト５１は、１ｍ程度の長さを有する。シャフト５１は、シャフト５１の先端から基端まで延びる内腔を有している。シャフト５１は、基端側に設けられた直線状部５１ａと、先端側に設けられた形状部５１ｂとを有する。直線状部５１ａは、基端を含むシャフト５１の大部分を構成している。形状部５１ｂは、所定の形状に湾曲している。
【００２２】
コネクタ部５２は、硬質樹脂材料で構成されたハブ５３とハブ５３の先端側に設けられた補強チューブ５４とを備える。このハブ５３は、ハブ５３の先端から基端まで延びる内腔を有しており、ハブ５３の内腔はシャフト５１の内腔と連通している。ハブ５３は、側方、すなわちカテーテル５０の長手方向に直行する方向に張り出した２つの張出部５３ａを有している。２つの張出部５３ａは、カテーテル５０の長手方向軸に対して対象となる位置に設けられている。シャフト５１の基端部がハブ５３の先端部に接合・固定されている。そのシャフト５１とハブ５３との接合部分を覆うようにして補強チューブ５４が設けられている。補強チューブ５４は弾力性のある樹脂で形成されており、シャフト５１の基端部が折れ曲がらないように補強している。
【００２３】
なお、シャフト５１の構成材料としては、特に限定されないが、例えば、例えば、スチレン系、ポリオレフィン系、ポリウレタン系、ポリエステル系、ポリアミド系、ポリブタジエン系、トランスポリイソプレン系、フッ素ゴム系、塩素化ポリエチレン系等の各種熱可塑性エラストマー等が挙げられ、これらのうちの１種または２種以上を組合せたもの（ポリマーアロイ、ポリマーブレンド、積層体等）を用いることができる。
【００２４】
台紙１０により保持されるカテーテル５０はどのような種類のカテーテルであってもよい。例えば、カテーテル５０は、冠動脈を造影するための造影カテーテルであってもよく、あるいは、医療デバイスを冠動脈まで案内するためのガイディングカテーテルであってもよい。
【００２５】
次に、台紙１０について説明する。なお、以下の説明においては、カテーテル５０を台紙１０に保持させた使用状態におけるカテーテル５０の先端側を台紙１０の先端側とし、カテーテル５０の基端側を台紙１０の基端側とする。
【００２６】
図１〜３に示すように、台紙１０は可撓性を有する長尺なシート材１１で構成されたものである。シート材１１の所定部位に切込みや打抜きを形成することにより、台紙１０が構成されている。この台紙１０は、図１に示す未使用状態のシート材１１を、図２および図３に示すように所定部位を折り曲げた折曲状態で用いられる。図２の台紙１０は、未使用状態のシート材１１を折曲状態にして、カテーテル５０を保持させる準備ができた準備状態であり、図３の台紙１０は、準備状態の台紙１０にカテーテル５０を保持させた使用状態である。すなわち、折曲状態とは、準備状態と使用状態との両方を含む状態を意味する。なお、シート材１１の構成材料としては、特に限定されないが、例えば、上質紙、中質紙、クラフト紙、片艶クラフト紙、更クラフト紙、表面コート紙等の種々の紙材の他、樹脂を主原料とする合成紙や樹脂シートが挙げられ、これらシート材を１枚または複数枚積層して（重ねて）使用することができる。シート材１１は、３００〜１５００ｍｍの長さを有し、５０〜３００ｍｍの幅を有し、０．１５〜１．００ｍｍの厚さを有する。
【００２７】
台紙１０は、カテーテル５０を保持する面となる平面状の保持面１２を有している。具体的には、台紙１０は２つの面を有しており、その２つの面のうちの一方の面が保持面１２となっている。
【００２８】
台紙１０は、カテーテル５０を保持する複数の、本実施形態では２つのカテーテル保持部１３を備えている。各カテーテル保持部１３は、シート材１１の長手方向に沿って設けられている。２つのカテーテル保持部１３は互いに側方に隣接して設けられている。なお、側方とは前記長手方向と直交する方向、すなわちシート材１１の幅方向のことを意味する。各カテーテル保持部１３は、シャフト５１を保持するシャフト保持部２０と、コネクタ部５２を保持するコネクタ部保持部３０とを有している。
【００２９】
シャフト保持部２０は、シート材１１の長手方向に沿って配置され、シャフト５１を保持面１２との間で挟持する複数のタブ２１を有している。各シャフト保持部２０に含まれるタブ２１の数は偶数個である。例えば、各シャフト保持部２０は、４〜１０個のタブ２１を有している。複数のタブ２１のうち、コネクタ部保持部３０に近い側から奇数番目のタブ２１ａは、シート材１１の幅方向の一方の縁部側に向かって突出している。タブ２１のうちコネクタ部保持部３０に近い側から偶数番目のタブ２１ｂは、シート材１１の幅方向の他方の縁部側に向かって突出している。
【００３０】
コネクタ部保持部３０から数えて、1番目のタブ２１ａと２番目のタブ２１ｂとはシート材１１の長手方向に隣接し、３番目のタブ２１ａと４番目のタブ２１ｂとはシート材１１の長手方向に隣接し、以下同様に２つのタブ２１同士が長手方向に隣接している。すなわち、コネクタ部保持部３０から数えて２ｎ−１番目のタブ２１ａと２ｎ番目のタブ（ただし、ｎ＝１，２，３・・・の正の整数とする）とはシート材１１の長手方向に隣接している。従って、シート材１１の長手方向に隣接する２つのタブ２１ａ，２１ｂは、互いに反対方向に向かって突出して一対をなしている。
【００３１】
図４（ａ）は、未使用状態のタブ２１の平面図であり、図４（ｂ）は使用状態のタブ２１の平面図である。図４（ａ）に示すように、各タブ２１は、それぞれ、シート材１１の一部を「く」の字状（所望の形状）に切込むことにより形成することができる。これにより、タブ２１をシート材１１とは別体で構成するよりも容易に形成することができる。このタブ２１を形成するための切込みを以下、タブ切込み２１ｃという。タブ２１は、シート材１１の一部が谷折り線２２で保持面１２から立ち上がるように折り曲げられる。この谷折り線２２は、シート材１１の長手方向に沿って設けられている。当該谷折り線２２では前記折り曲げを戻そうとする復元力が生じ、この復元力をシャフト５１に対する挟持力として用いることができる。
【００３２】
図４（ａ），（ｂ）に示すように、タブ２１は、シート材１１の幅方向におけるタブ２１の略中央部に、シート材１１の長手方向に延びる第１切込み２３を有している。この第１切込み２３は、谷折り線２２と平行になるように形成されている。詳細には、タブ２１には、シャフト５１が挟持された状態で、シャフト５１に当接する位置にシャフト５１に沿うように第１切込み２３が形成されている。第１切込み２３は、シート材１１の幅方向におけるタブ２１の中心よりも、タブ２１の突出方向の先端側よりに位置している。
【００３３】
図４（ａ）に示すように、台紙１０の未使用状態において、シート材１１の長手方向に隣接して一対をなす２つのタブ２１の各々の第１切込み２３は、同一直線上に位置している。さらに、各カテーテル保持部１３に含まれるすべてのタブ２１の第１切込み２３は同一直線上に位置している。図４（ｂ）に示すように、台紙１０の使用状態において、一対のタブ２１に形成された第１切込み２３は、各々シャフト５１の円周方向の異なる位置に当接する位置に形成されている。
【００３４】
谷折り線２２の一部には第２切込み２４が形成されている。具体的には、第２切込み２４は、谷折り線２２の両端部分を除く谷折り線２２の中央部分に形成されている。また、谷折り線２２の外側に谷折り線２２を延長した仮想延長線上に第３切込み２５が形成されている。第３切込み２５は、谷折り線２２の長手方向両側に形成されており、タブ切込み２１ｃと連続している。
【００３５】
タブ２１の各部の寸法は、例えば次のように設定することができる。図４（ａ）を参照して、タブ２１の長さＬ１（シート材１１の長手方向における長さ）は、２０〜３０ｍｍとすることできる。タブ２１の幅方向の長さＬ２（シート材１１の幅方向における長さ）は、タブ２１の長さＬ１よりも短く、タブ２１の長さＬ１の半分以下とすることができる。例えば、タブ２１の幅方向の長さＬ２は、５〜１０ｍｍとすることができる。
【００３６】
タブ２１の突出方向先端から第１切込み２３までの距離Ｌ３は、第１切込み２３からタブ２１の突出方向基端までの距離Ｌ４よりも短い。第２切込み２４の長さＬ５は、第１切込み２３の長さＬ６よりも長く、第１切込み２３の長さＬ６の２倍以上とすることができる。第２切込み２４の長さＬ５は、タブ２１の長さＬ１（すなわち、谷折り線２２の長さ）の半分以上である。好ましくは、０．７０≦（Ｌ５／Ｌ１）≦０．９５となるように第２切込み２４の長さＬ５およびタブ２１の長さＬ１を設定してもよい。
【００３７】
第３切込み２５の長さＬ７は、第１切込み２３の長さＬ６よりも短い。第１切込み２３の端から第１切込み２３の延長線上に位置するタブ切込み２１ｃまでの距離Ｌ８は、第２切込み２４の端からタブ切込み２１ｃの端までの距離Ｌ９と略同一である。第３切込み２５の長さＬ７は、上記の距離Ｌ８および距離Ｌ９と略同一とすることができる。
【００３８】
図５は、未使用状態のコネクタ部保持部３０の平面図である。図６（ａ）は、準備状態のコネクタ部保持部３０の斜視図であり、図６（ｂ）使用状態のコネクタ部保持部３０の斜視図である。詳細は後述するが、コネクタ部保持部３０は、コネクタ部５２の側方への移動および台紙１０から離間する方向への移動を抑制するとともに、カテーテル５０の長手方向にコネクタ部５２が所定範囲内で移動することを許容するようになっている。
【００３９】
図５に示すように、コネクタ部保持部３０は、互いに側方に隣接する一対のコネクタ部保持片３１を有している。コネクタ部保持片３１は、シート材１１のコネクタ部保持部３０となる部分において、先端側部分と基端側部分とを打抜くとともに、その打抜かれた先端側部分から基端側部分まで直線状に切込むことによって形成することができる。このコネクタ部保持片３１を形成するための先端側の打抜きを先端側打抜き３２といい、基端側の打抜きを基端側打抜き３３といい、直線状の切込みを保持片切込み３４という。
【００４０】
図６（ａ）に示すように、コネクタ部保持片３１は、シート材１１の一部が谷折り線３５で保持面１２から立ち上がるように折り曲げられる。この谷折り線３５は、非直線状であり、コネクタ部保持部３０に保持されるコネクタ部５２の形状に対応するように設けられている。具体的には、谷折り線３５の一部において、コネクタ部５２の形状に沿うように複数の切込み３６が形成されることによって、コネクタ部５２の形状に対応した谷折り線３５が形成されている。
【００４１】
隣接する一対のコネクタ部保持片３１は、コネクタ部５２を挟むように形成されている。詳細は後述するが、コネクタ部保持片３１は、コネクタ部５２に側方から当接することによりコネクタ部５２の側方への移動を抑制する側方移動抑制部として機能する。また、コネクタ部保持片３１は、保持片本体部３１ａと、保持片本体部３１ａから基端側に向かって延びる離間抑制部３１ｂとを有している。離間抑制部３１ｂは、コネクタ部５２を保持面１２に向かって押さえつけることなく、台紙１０から離間する方向へのコネクタ部５２の移動を抑制する。コネクタ部保持片３１において、離間抑制部３１ｂと保持面１２との間には、基端側に向かって開放され、ハブ５３の張出部５３ａに対応する切欠３１ｃが形成されている。
【００４２】
台紙１０の折曲状態では、先端側打抜き３２と、基端側打抜き３３と、コネクタ部保持片３１が折り曲げられることにより形成された空間とにより、コネクタ部５２の一部を収容可能な孔３７が形成されている。孔３７の側方の縁部も、コネクタ部５２に側方から当接することによりコネクタ部５２の側方への移動を抑制する側方移動抑制部として機能する。また、孔３７の基端側の縁部にコネクタ部５２が当接することによりカテーテル５０の基端方向へのコネクタ部５２の移動が抑制されるようになっている。
【００４３】
図３、図４（ｂ）、図６（ｂ）を参照して、カテーテル５０を保持した台紙１０の使用状態について説明する。図３に示すように、カテーテル保持部１３により、カテーテル５０が保持面１２に保持されている。具体的には、シャフト保持部２０がシャフト５１を保持し、コネクタ部保持部３０がコネクタ部５２を保持している。シャフト５１の直線状部５１ａは、蛇行することなく直線状のままシャフト保持部２０により保持されている。
【００４４】
図４（ｂ）に示すように、シャフト保持部２０において、タブ２１がシャフト５１を保持面１２との間で挟持している。このとき、シャフト５１はタブ２１の第１切込み２３に沿っている。このため、タブ２１は、シャフト５１の直線状部５１ａを蛇行させることなく挟持することができる。シート材１１の長手方向に隣接する一対のタブ２１に形成された各第１切込み２３は、各々シャフト５１の円周方向の異なる位置に当接している。すなわち、コネクタ部保持部３０に近い側から奇数番目のタブ２１ａの第１切込み２３と、偶数番目のタブ２１ｂの第１切込み２３とは、シャフト５１の円周方向の異なる位置に当接している。また、第２切込み２４および第３切込み２５により、タブ２１が保持面１２と同一平面に戻ろうとする復元力、すなわち、シャフト５１を挟持するための挟持力が適度に弱められている。
【００４５】
図６（ｂ）に示すように、コネクタ部保持部３０において、コネクタ部５２が、一対のコネクタ部保持片３１の間に配置されている。ハブ５３の張出部５３ａが、コネクタ部保持片３１の切欠３１ｃに入り込み、離間抑制部３１ｂと保持面１２との間に位置している。コネクタ部５２の先端は、コネクタ部保持部３０の孔３７の先端よりも基端側に位置し、コネクタ部５２の基端は、孔３７の基端よりも先端側に位置している。コネクタ部５２のうち、張出部５３ａよりも下側（保持面１２とは反対側の面側）に位置する部分は、孔３７に収容された状態となっている。
【００４６】
コネクタ部保持部３０は、コネクタ部５２が、先端側、基端側、側方、台紙１０から離間する側へ移動することを抑制している。ハブ５３の張出部５３ａが、コネクタ部保持片３１の保持片本体部３１ａに当接することにより、コネクタ部５２が先端側へ移動することが抑制される。ハブ５３の基端が孔３７の基端側の縁部に当接することにより、コネクタ部５２が基端側へ移動することが抑制される。コネクタ部５２に、コネクタ部保持片３１および孔３７の側方の縁部が側方から当接することにより、コネクタ部５２が側方へ移動することが抑制される。張出部５３ａが、コネクタ部保持片３１の離間抑制部３１ｂに当接することによりコネクタ部５２が台紙１０から離間する方向へ移動することが抑制される。
【００４７】
離間抑制部３１ｂと保持面１２との間の距離、すなわち切欠３１ｃの幅は、張出部５３ａの厚みよりも大きい。そのため、離間抑制部３１ｂは、コネクタ部５２を保持面１２に向かって押さえつけることなく、コネクタ部５２の離間方向への移動を抑制することができる。
【００４８】
保持片本体部３１ａの基端から孔３７の基端までの距離は、張出部５３ａのカテーテル５０先端側の端からハブ５３の基端までの距離よりも大きい。そのため、コネクタ部５２は、カテーテル５０の長手方向に所定範囲内で移動することが許容されている。また、ハブ５３の基端が孔３７の基端縁に当接した状態においても、張出部５３ａの一部が離間抑制部３１ｂと保持面１２との間に位置するようになっている。すなわち、コネクタ部５２は、カテーテル５０の長手方向において張出部５３ａの少なくとも一部が離間抑制部３１ｂと重複するような所定範囲内で移動することを許容されている。
【００４９】
次に、カテーテル保持部１３がシート材１１の幅方向の中心からずれて配置されている理由について説明する。
【００５０】
前述のように、カテーテル５０は先端側の部分を構成する形状部５１ｂを有している。このように、カテーテルの中には、その先端部分を湾曲させることにより形成された形状部を有するものが多くある。多くの場合、このような形状部の全体としての中心位置は、直線状部５１ａの中心軸線上からずれている。例えば、図３では、直線状部５１ａの中心軸上およびその中心軸よりも一方の側方側にのみ形状部５１ｂが存在し、中心軸よりも他方の側方側には形状部５１ｂが存在しない。すなわち、カテーテル５０が保持されるカテーテル保持部１３の一方の側方側には形状部５１ｂを載置するための幅が必要であるが、カテーテル保持部１３の他方の側方側にはそのような幅は不要である。このため、カテーテル保持部１３をシート材１１の幅方向の中心からずらして配置することにより、シート材１１の幅、すなわち台紙１０の幅を小さくすることができる。台紙１０の幅が小さいほうが、カテーテル５０の保管時や輸送時にその占めるスペースを小さくすることができる。
【００５１】
続いて、台紙１０がカテーテル保持部１３を２つ備えている理由について説明する。
図３に示すカテーテル５０の形状部５１ｂは平面的な形状を有している。これに対して、三次元的な、すなわち立体的な形状部を有するカテーテルも存在する。また、当該形状部において、カテーテルの内腔を外部に開放する孔を有するカテーテルも存在する。これらのカテーテルを台紙１０に保持させるときは、形状部の特定の側が上側になるように、或いは、孔が上側又は下側になるように保持させたいという要望がある。なお、孔が形成されていない平面的な形状部５１ｂであっても、特定の側を上側に保持させたいという要望もある。ここで、台紙１０は、台紙１０の幅方向に並んだ複数の、本実施形態では２つのカテーテル保持部１３を有しているため、２つのうちのいずれか一方のカテーテル保持部１３にカテーテル５０を保持させることにより、カテーテル５０の所望の側を上側（又は下側）にすることができる。
【００５２】
次に、台紙１０の使用方法について説明する。
図１に示すように、未使用状態の台紙１０においては、タブ２１およびコネクタ部保持片３１は、シート材１１の保持面１２と同一平面上にある。そこから、２つのカテーテル保持部１３のうちの一方のカテーテル保持部１３のタブ２１およびコネクタ部保持片３１を保持面１２から立ち上がるように折り曲げ、台紙１０を図２に示すような準備状態とする。具体的には、タブ２１は、カテーテル５０のシャフト５１を嵌め込む作業ができる程度に折り曲げる。コネクタ部保持片３１は、保持面１２に対して略垂直となるように折り曲げる。
【００５３】
次いで、図３に示すように、カテーテル５０を台紙１０に保持させる。シャフト５１をシャフト保持部２０に保持させるためには、まず、シャフト５１を一対のタブ２１間の隙間に沿うように湾曲させる。その後、シャフト５１を直線状に復帰させることにより、タブ２１にシャフト５１挟持させることができる。コネクタ部５２をコネクタ部保持部３０に保持させるためには、まず、コネクタ部５２の先端部が一対のコネクタ部保持片３１の間に位置し、かつハブ５３の張出部５３ａが離間抑制部３１ｂよりも基端側に位置するようにコネクタ部５２を配置する。その後、張出部５３ａがコネクタ部保持片３１の切欠３１ｃ内に入るように、コネクタ部５２の基端部が孔３７に入り込むまでコネクタ部５２を先端側に移動させる。このようにして、カテーテル５０を台紙１０に保持させた使用状態とすることができる。
【００５４】
台紙１０からカテーテル５０を取り外す際には、ハブ５３を台紙１０から離間する方向に持ち上げつつ基端側に移動させることにより、コネクタ部５２をコネクタ部保持部３０から取り外すことができる。その後、シャフト５１を台紙１０から離間させる方向に移動させることにより、シャフト５１をシャフト保持部２０から取り外すことができる。このとき、シャフト保持部２０には、第２切込み２４および第３切込み２５が形成されているため、容易にシャフト５１を取り外すことができる。
以上、詳述した本実施形態によれば、以下の優れた効果が得られる。
【００５５】
シャフト５１を有するカテーテル５０を保持する保持面１２を有する長尺なシート材１１で構成された台紙１０は、カテーテル５０を保持するカテーテル保持部１３を備える。カテーテル保持部１３は、シート材１１の長手方向に沿って配置され、シャフト５１を保持面１２との間で挟持する複数のタブ２１を有する。複数のタブ２１には、シャフト５１が挟持された状態でシャフト５１に当接する位置にシャフト５１に沿うように第１切込み２３が形成されている。すなわち、カテーテル５０のシャフト５１を挟持するタブ２１に、シャフト５１が挟持された状態でシャフト５１に当接する位置にシャフト５１に沿う第１切込み２３が形成されている。これによってタブ２１と保持面１２との間でシャフト５１を挟持した場合、シャフト５１が第１切込み２３に沿い、シャフト５１の蛇行を抑制することができる。また、タブ２１が直接シャフト５１を挟持する部分の挟持力を小さくすることができるので、シャフト５１がタブ２１から外れる方向に移動することを抑制することができ、シャフト５１の蛇行をさらに抑制することができる。なお、逆に上記の挟持力が小さすぎるとシャフト５１がタブ２１から外れてしまうという虞がある。これに対しては、シート材１１の長手方向に沿ってタブ２１を複数設けることにより上記の虞を低減することができる。すなわち、各タブ２１によりシャフト５１に局所的にかかる挟持力を小さくしつつ、複数のタブ２１によりシャフト５１の全体にかかる挟持力をシャフト５１を保持するために十分なものとすることができる。
【００５６】
複数のタブ２１はシート材１１の一部が谷折り線２２で保持面１２から立ち上がるように折り曲げられて形成されたものであり、谷折り線２２の一部に第２切込み２４が形成されている。この第２切込み２４によってタブ２１の挟持力を小さくすることができる。これによって、シャフト５１がタブ２１から外れる方向に移動することを抑制することができ、シャフト５１の蛇行を抑制することができる。
【００５７】
第１切込み２３は谷折り線２２に平行になるように形成されている。第１切込み２３と谷折り線２２とが平行となるため、シャフト５１と谷折り線２２とが平行となる。これによって、タブ２１の挟持力がシャフト５１に均一にかかり、シャフト５１の蛇行を抑制することができる。
【００５８】
谷折り線２２の外側に谷折り線２２を延長した仮想延長線上に第３切込み２５が形成されている。この第３切込み２５によってタブ２１の挟持力を小さくすることができる。これによって、シャフト５１がタブ２１から外れる方向に移動することを抑制することができ、シャフト５１の蛇行を抑制することができる。
【００５９】
シート材１１の長手方向に隣接する２つのタブ２１は、互いに反対方向に向かって突出して一対をなし、当該一対のタブ２１に形成された各第１切込み２３は、各々シャフト５１の円周方向の異なる位置に当接する位置に形成されている。すなわち、互いに反対方向に向かって突出して一対をなすタブ２１に形成された各第１切込み２３が、各々シャフト５１の円周方向の異なる位置に当接する。これによって、タブ２１がシャフト５１を安定して挟持することができる。
【００６０】
シャフト５１とコネクタ部５２とを有するカテーテル５０を保持する保持面１２を有する長尺なシート材１１で構成された台紙１０は、カテーテル５０を保持するカテーテル保持部１３を備える。カテーテル保持部１３は、シャフト５１を保持するシャフト保持部２０と、コネクタ部５２を保持するコネクタ部保持部３０とを有する。コネクタ部保持部３０は、コネクタ部５２に側方から当接することによりコネクタ部５２の側方への移動を抑制する側方移動抑制部として機能するコネクタ部保持片３１および孔３７を有し、かつ、カテーテル５０長手方向にコネクタ部５２が所定範囲内で移動することを許容する。コネクタ部保持部３０が、コネクタ部５２に側方から当接することによりコネクタ部５２の側方への移動を抑制する側方移動抑制部を有するため、コネクタ部５２が側方に移動して、シャフト５１が蛇行することを抑制することができる。さらに、コネクタ部保持部３０は、カテーテル５０長手方向にコネクタ部５２が所定範囲内で移動することを許容する。これによって、シャフト保持部２０により保持されたシャフト５１に蛇行させるような力がかかった場合であっても、コネクタ部５２が長手方向に移動することによりそのような蛇行を抑制することができる。すなわち、コネクタ部保持部３０は、コネクタ部５２の側方への移動を抑制しつつ、長手方向の所定範囲内の移動を許容することによって、シャフト５１の蛇行を抑制することができる。
【００６１】
コネクタ部保持部３０は、シート材１１の一部が谷折り線２２で保持面１２から立ち上がるように折り曲げられて形成されたコネクタ部保持片３１を有する。コネクタ部保持片３１は、コネクタ部５２を保持面１２に向かって押さえつけることなく、台紙１０から離間する方向へのコネクタ部５２の移動を抑制する離間抑制部３１ｂを有する。これによって、コネクタ部５２が台紙１０から離間することを抑制することができる。また、コネクタ部５２を保持面１２に押さえつけた場合はその押さえるける力によってシャフト５１が蛇行してしまう虞があるが、離間抑制部３１ｂはコネクタ部５２を押さえつけないため、そのようにシャフト５１が蛇行する虞を低減することができる。
【００６２】
コネクタ部５２は、側方に張り出した張出部５３ａを有する。コネクタ部保持片３１において、離間抑制部３１ｂと保持面１２との間に、カテーテル５０の基端側に向かって開放され、張出部５３ａに対応する切欠３１ｃが形成されている。これによって、コネクタ部５２の張出部５３ａを先端側（カテーテル５０における先端側）から切欠３１ｃに挿入することにより、コネクタ部５２をコネクタ部保持片３１に容易に保持させることができる。
【００６３】
コネクタ部保持部３０は、カテーテル５０の長手方向において張出部５３ａの少なくとも一部が離間抑制部３１ｂと重複するような所定範囲内でコネクタ部５２が移動することを許容する。これによって、張出部５３ａが離間抑制部３１ｂから離脱し、コネクタ部５２が台紙１０から離間してしまう虞を低減することができる。
【００６４】
コネクタ部保持部３０は、コネクタ部５２を挟むように形成された一対のコネクタ部保持片３１を有し、コネクタ部保持片３１が側方移動抑制部の少なくとも一部を形成している。側方移動抑制部を形成する一対のコネクタ部保持片３１がコネクタ部５２を挟んでいるため、両側方へのコネクタ部５２の移動を抑制することができ、従って、シャフト５１の蛇行をより効果的に抑制することができる。
【００６５】
コネクタ部保持部３０にコネクタ部５２の一部を収容可能な孔３７が形成され、孔３７の縁部が側方移動抑制部の少なくとも一部を形成している。このため、コネクタ部５２の側方への移動を簡単な構成により抑制することができる。
【００６６】
コネクタ部保持部３０にコネクタ部５２の一部を収容可能な孔３７が形成され、孔３７の基端側の縁部にコネクタ部５２が当接することによりカテーテル５０基端方向へのコネクタ部５２の移動が抑制される。このため、孔３７という比較的簡単な構成により、コネクタ部５２の基端方向への移動を抑制し、コネクタ部５２がコネクタ部保持部３０から離脱してしまうことを抑制することができる。
【００６７】
（他の実施形態）
本発明は、上記の実施形態に限定されず、例えば以下のように実施してもよい。
（１）上記の実施形態においては、「く」の字形のタブ切込み２１ｃによりタブ２１が形成されていた。タブ２１を形成するためのタブ切込みの形状は、「く」の字形に限らず、任意の形でよい。例えば、タブ切込みの形状は、半円形や「コ」の字形であってもよい。
【００６８】
（２）第１切込み２３に加えて、追加の切込みがタブ２１に形成されてもよい。追加の切込みは、第１切込み２３と平行であってもよい。第１切込み２３を挟むように２つの追加の切込みがタブ２１に形成されてもよい。
【００６９】
（３）コネクタ部保持部３０の谷折り線３５は、コネクタ部保持部３０に保持されるコネクタ部５２の形状に沿って設けられていたが、谷折り線３５の形状はこれに限定されない。例えば、谷折り線３５が直線状であってもよく、曲線状であってもよい。この場合であっても、コネクタ部保持片３１を谷折り線３５で折り曲げて立ち上げるときに、その立ち上げる角度を９０度より小さくすればよい。こうすることにより、コネクタ部５２を一対のコネクタ部保持片３１でわずかに挟持した状態として、コネクタ部５２が側方に移動することを抑制することができる。
【００７０】
（本明細書の開示範囲から抽出される他の発明について）
以下に、本明細書の開示範囲において課題を解決するための手段に記載した発明以外に抽出可能な発明について、必要に応じて効果等を示しつつ説明する。
【００７１】
（付記１）  長尺のシャフトとコネクタ部とを有するカテーテルを保持する保持面を有する長尺なシート材で構成されたカテーテル保持台紙であって、
前記カテーテルを保持するカテーテル保持部を備え、
前記カテーテル保持部は、前記シャフトを保持するシャフト保持部と、前記コネクタ部を保持するコネクタ部保持部とを有し、
前記コネクタ部保持部は、
前記コネクタ部に側方から当接することにより前記コネクタ部の側方への移動を抑制する側方移動抑制部を有し、かつ、カテーテル長手方向に前記コネクタ部が所定範囲内で移動することを許容することを特徴とするカテーテル保持台紙。
【００７２】
従来、ガイディングカテーテルなどカテーテルの保管時の変形を抑制する目的でカテーテルのシャフトを所定形状で保持するカテーテル保持台紙が知られている。このようなカテーテル保持台紙では、カテーテルのシャフトを保持するシャフト保持部と、カテーテルのコネクタ部を保持するコネクタ部保持部とが設けられていた。しかし、コネクタ部が側方に移動したり、或いは、シャフトに側方から力がかかった場合、シャフトが蛇行してしまう場合があった。
【００７３】
付記１の発明によれば、コネクタ部保持部は、前記コネクタ部に側方から当接することにより前記コネクタ部の側方への移動を抑制する側方移動抑制部を有する。これによって、コネクタ部が側方に移動して、シャフトが蛇行することを抑制することができる。さらに、コネクタ部保持部は、カテーテル長手方向に前記コネクタ部が所定範囲内で移動することを許容する。これによって、シャフト保持部により保持されたシャフトに蛇行させるような力がかかった場合であっても、コネクタ部が長手方向に移動することによりそのような蛇行を抑制することができる。すなわち、コネクタ部保持部は、コネクタ部の側方への移動を抑制しつつ、長手方向の所定範囲内の移動を許容することによって、シャフトの蛇行を抑制することができる。
【００７４】
（付記２）  前記コネクタ部保持部は、前記シート材の一部が谷折り線で前記保持面から立ち上がるように折り曲げられて形成されたコネクタ部保持片を有し、
前記コネクタ部保持片は、前記コネクタ部を前記保持面に向かって押さえつけることなく、前記カテーテル保持台紙から離間する方向への前記コネクタ部の移動を抑制する離間抑制部を有することを特徴とする付記１に記載のカテーテル保持台紙。
【００７５】
この場合、コネクタ部保持片は、前記コネクタ部を前記保持面に向かって押さえつけることなく、前記カテーテル保持台紙から離間する方向への前記コネクタ部の移動を抑制する離間抑制部を有する。これによって、コネクタ部がカテーテル保持台紙から離間することを抑制することができる。また、コネクタ部を保持面に押さえつけた場合はその押さえるける力によってシャフトが蛇行してしまう虞があるが、離間抑制部はコネクタ部を押さえつけないため、そのようにシャフトが蛇行する虞を低減することができる。
【００７６】
（付記３）  前記コネクタ部は、側方に張り出した張出部を有し、
前記コネクタ部保持片において、前記離間抑制部と前記保持面との間に、前記カテーテルの基端側に向かって開放され、前記張出部に対応する切欠が形成されていることを特徴とする付記２に記載のカテーテル保持台紙。
【００７７】
この場合、前記コネクタ部保持片において、前記離間抑制部と前記保持面との間に、前記カテーテルの基端側に向かって開放され、前記張出部に対応する切欠が形成されている。これによって、コネクタ部の張出部を先端側から切欠に挿入することにより、コネクタ部をコネクタ部保持片に容易に保持させることができる。
【００７８】
（付記４）  前記コネクタ部保持部は、カテーテルの長手方向において前記張出部の少なくとも一部が前記離間抑制部と重複するような所定範囲内で前記コネクタ部が移動することを許容することを特徴とする請求項３に記載のカテーテル台紙。
【００７９】
この場合、カテーテルの長手方向において張出部の少なくとも一部が離間抑制部と重複するような所定範囲内で前記コネクタ部が移動する。これによって、張出部が離間抑制部から離脱し、コネクタ部がカテーテル保持台紙から離間してしまう虞を低減することができる。
【００８０】
（付記５）  前記コネクタ部保持部は、前記コネクタ部を挟むように形成された一対の前記コネクタ部保持片を有し、前記コネクタ部保持片が前記側方移動抑制部の少なくとも一部を形成していることを特徴とする付記２〜４のいずれかに記載のカテーテル台紙
【００８１】
この場合、側方移動抑制部を形成する一対のコネクタ部保持片がコネクタ部を挟んでいるため、両側方へのコネクタ部の移動を抑制することができ、従って、シャフトの蛇行をより効果的に抑制することができる。
【００８２】
（付記６）  前記コネクタ部保持部に前記コネクタ部の一部を収容可能な孔が形成され、前記孔の縁部が前記側方移動抑制部の少なくとも一部を形成していることを特徴とする付記１〜５のいずれかに記載のカテーテル台紙
【００８３】
この場合、コネクタ部の一部を収容する孔の縁部により側方移動抑制部が形成されているため、コネクタ部の側方への移動を簡単な構成により抑制することができる。
【００８４】
（付記７）  前記コネクタ部保持部に前記コネクタ部の一部を収容可能な孔が形成され、前記孔の基端側の縁部に前記コネクタ部が当接することによりカテーテル基端方向への前記コネクタ部の移動が抑制されることを特徴とする付記１〜６のいずれかに記載のカテーテル台紙。
【００８５】
この場合、孔という比較的簡単な構成により、コネクタ部の基端方向への移動を抑制し、コネクタ部がコネクタ部保持部から離脱してしまうことを抑制することができる。
【符号の説明】
【００８６】
１０…カテーテル台紙、１１…シート材、１２…保持面、１３…保持部、２１，２１ａ，２１ｂ…タブ、２２…谷折り線、２３…第１切込み、２４…第２切込み、２５…第３切込み、５０…カテーテル、５１…シャフト。
【図１】
2014018209.tif 000003
【図２】
2014018209.tif 000004
【図３】
2014018209.tif 000005
【図４】
2014018209.tif 000006
【図５】
2014018209.tif 000007
【図６】
2014018209.tif 000008